【手続補正書】
【提出日】平成17年9月21日(2005.9.21)
【手続補正１】
【補正対象書類名】明細書
【補正対象項目名】請求項１
【補正方法】変更
【補正の内容】
【請求項１】
静電潜像担持体上に担持された静電潜像を可視化するための非磁性一成分トナーであって、
前記非磁性一成分トナーを担持するトナー担持体に接触された帯電補助部材により、前記非磁性一成分トナーの帯電量を制御する帯電補助工程と；前記トナー担持体に担持された非磁性一成分トナーを前記静電潜像担持体の表面に接触させて転移させることにより、前記静電潜像を可視化してトナー像を静電潜像担持体上に形成する現像工程と；を少なくとも含む画像形成方法に用いられ、
ポリエステル化合物を主成分とする結着樹脂と、着色剤と、離型剤とを少なくとも含有し、
前記非磁性一成分トナー２ｇをヘキサン溶媒に５分間浸漬させたときの抽出物の質量をＸ（ｍｇ）とし、該抽出物の示差走査熱量（ＤＳＣ）測定により得られる吸熱曲線における最大吸熱ピークの温度をＹ（℃）としたときに、下記式（１）〜（３）の関係を満たすことを特徴とする非磁性一成分トナー。
【数１】
2004138644.tif 000001
【手続補正２】
【補正対象書類名】明細書
【補正対象項目名】請求項３
【補正方法】変更
【補正の内容】
【請求項３】
静電潜像担持体上に担持された静電潜像を非磁性一成分トナーにより可視化して画像を形成する画像形成方法であって、
前記非磁性一成分トナーを担持するトナー担持体に接触された帯電補助部材により、前記非磁性一成分トナーの帯電量を制御する帯電補助工程と、
前記トナー担持体に担持された非磁性一成分トナーを前記静電潜像担持体の表面に接触さ
せて転移させることにより、前記静電潜像を可視化してトナー像を静電潜像担持体上に形成する現像工程と、を少なくとも含み、
前記非磁性一成分トナーは、ポリエステル化合物を主成分とする結着樹脂と、着色剤と、離型剤とを少なくとも含有し、
前記非磁性一成分トナー２ｇをヘキサン溶媒に５分間浸漬させたときの抽出物の質量をＸ（ｍｇ）とし、該抽出物の示差走査熱量（ＤＳＣ）測定により得られる吸熱曲線における最大吸熱ピークの温度をＹ（℃）としたときに、下記式（１）〜（３）の関係を満たすことを特徴とする画像形成方法。
【数２】
2004138644.tif 000002
【手続補正３】
【補正対象書類名】明細書
【補正対象項目名】請求項５
【補正方法】変更
【補正の内容】
【請求項５】
静電潜像担持体上に担持された静電潜像を非磁性一成分トナーにより可視化する現像装置であって、
前記非磁性一成分トナーを担持するトナー担持体と、前記トナー担持体に接触され前記非磁性一成分トナーの帯電性を制御する帯電補助部材と、を少なくとも有し、
前記非磁性一成分トナーはポリエステル化合物を主成分とする結着樹脂と、着色剤と、離型剤とを少なくとも含有し、
前記非磁性一成分トナー２ｇをヘキサン溶媒に５分間浸漬させたときの抽出物の質量をＸ（ｍｇ）とし、該抽出物の示差走査熱量（ＤＳＣ）測定により得られる吸熱曲線における最大吸熱ピークの温度をＹ（℃）としたときに、下記式（１）〜（３）の関係を満たすことを特徴とする現像装置。
【数３】
2004138644.tif 000003
【手続補正４】
【補正対象書類名】明細書
【補正対象項目名】請求項７
【補正方法】変更
【補正の内容】
【請求項７】
静電潜像担持体上に担持された静電潜像を非磁性一成分トナーにより可視化して画像を形成する画像形成装置に着脱可能に装着されるプロセスカートリッジであって、
静電潜像を担持する静電潜像担持体と、
前記静電潜像を非磁性一成分トナーによって可視化してトナー像を形成する現像装置と、前記静電潜像担持体を帯電させる帯電手段、前記帯電された静電潜像担持体上に静電潜像を形成する露光手段、前記現像装置によって形成されたトナー像を記録媒体に転写する転
写手段、および前記静電潜像担持体の転写残余の非磁性一成分トナーを除去するクリーニング手段から選ばれ、且つ前記現像装置と一体に支持される少なくとも１つの手段と、を有し、
前記現像装置は、前記非磁性一成分トナーを担持するトナー担持体と、前記トナー担持体に接触され前記非磁性一成分トナーの帯電性を制御する帯電補助部材と、を少なくとも有し、
前記非磁性一成分トナーはポリエステル化合物を主成分とする結着樹脂と、着色剤と、離型剤とを少なくとも含有し、
前記非磁性一成分トナー２ｇをヘキサン溶媒に５分間浸漬させたときの抽出物の質量をＸ（ｍｇ）とし、該抽出物の示差走査熱量（ＤＳＣ）測定により得られる吸熱曲線における最大吸熱ピークの温度をＹ（℃）としたときに、下記式（１）〜（３）の関係を満たすことを特徴とするプロセスカートリッジ。
【数４】
2004138644.tif 000004
【手続補正５】
【補正対象書類名】明細書
【補正対象項目名】００１９
【補正方法】変更
【補正の内容】
【００１９】
（１）静電潜像担持体上に担持された静電潜像を可視化するための非磁性一成分トナーであって、
前記非磁性一成分トナーを担持するトナー担持体に接触された帯電補助部材により、前記非磁性一成分トナーの帯電量を制御する帯電補助工程と；前記トナー担持体に担持された非磁性一成分トナーを前記静電潜像担持体の表面に接触させて転移させることにより、前記静電潜像を可視化してトナー像を静電潜像担持体上に形成する現像工程と；を少なくとも含む画像形成方法に用いられ、
ポリエステル化合物を主成分とする結着樹脂と、着色剤と、離型剤とを少なくとも含有し、
前記非磁性一成分トナー２ｇをヘキサン溶媒に５分間浸漬させたときの抽出物の質量をＸ（ｍｇ）とし、該抽出物の示差走査熱量（ＤＳＣ）測定により得られる吸熱曲線における最大吸熱ピークの温度をＹ（℃）としたときに、下記式（１）〜（３）の関係を満たすことを特徴とする非磁性一成分トナー。
【手続補正６】
【補正対象書類名】明細書
【補正対象項目名】００２２
【補正方法】変更
【補正の内容】
【００２２】
（３）静電潜像担持体上に担持された静電潜像を非磁性一成分トナーにより可視化して画像を形成する画像形成方法であって、
前記非磁性一成分トナーを担持するトナー担持体に接触された帯電補助部材により、前記非磁性一成分トナーの帯電量を制御する帯電補助工程と、
前記トナー担持体に担持された非磁性一成分トナーを前記静電潜像担持体の表面に接触さ
せて転移させることにより、前記静電潜像を可視化してトナー像を静電潜像担持体上に形成する現像工程と、を少なくとも含み、
前記非磁性一成分トナーは、ポリエステル化合物を主成分とする結着樹脂と、着色剤と、離型剤とを少なくとも含有し、
前記非磁性一成分トナー２ｇをヘキサン溶媒に５分間浸漬させたときの抽出物の質量をＸ（ｍｇ）とし、該抽出物の示差走査熱量（ＤＳＣ）測定により得られる吸熱曲線における最大吸熱ピークの温度をＹ（℃）としたときに、下記式（１）〜（３）の関係を満たすことを特徴とする画像形成方法。
【手続補正７】
【補正対象書類名】明細書
【補正対象項目名】００２５
【補正方法】変更
【補正の内容】
【００２５】
（５）静電潜像担持体上に担持された静電潜像を非磁性一成分トナーにより可視化する現像装置であって、
前記非磁性一成分トナーを担持するトナー担持体と、前記トナー担持体に接触され前記非磁性一成分トナーの帯電性を制御する帯電補助部材と、を少なくとも有し、
前記非磁性一成分トナーはポリエステル化合物を主成分とする結着樹脂と、着色剤と、離型剤とを少なくとも含有し、
前記非磁性一成分トナー２ｇをヘキサン溶媒に５分間浸漬させたときの抽出物の質量をＸ（ｍｇ）とし、該抽出物の示差走査熱量（ＤＳＣ）測定により得られる吸熱曲線における最大吸熱ピークの温度をＹ（℃）としたときに、下記式（１）〜（３）の関係を満たすことを特徴とする現像装置。
【手続補正８】
【補正対象書類名】明細書
【補正対象項目名】００２８
【補正方法】変更
【補正の内容】
【００２８】
（７）静電潜像担持体上に担持された静電潜像を非磁性一成分トナーにより可視化して画像を形成する画像形成装置に着脱可能に装着されるプロセスカートリッジであって、
静電潜像を担持する静電潜像担持体と、
前記静電潜像を非磁性一成分トナーによって可視化してトナー像を形成する現像装置と、前記静電潜像担持体を帯電させる帯電手段、前記帯電された静電潜像担持体上に静電潜像を形成する露光手段、前記現像装置によって形成されたトナー像を記録媒体に転写する転写手段、および前記静電潜像担持体の転写残余の非磁性一成分トナーを除去するクリーニング手段から選ばれ、且つ前記現像装置と一体に支持される少なくとも１つの手段と、を有し、
前記現像装置は、前記非磁性一成分トナーを担持するトナー担持体と、前記トナー担持体に接触され前記非磁性一成分トナーの帯電性を制御する帯電補助部材と、を少なくとも有し、
前記非磁性一成分トナーはポリエステル化合物を主成分とする結着樹脂と、着色剤と、離型剤とを少なくとも含有し、
前記非磁性一成分トナー２ｇをヘキサン溶媒に５分間浸漬させたときの抽出物の質量をＸ（ｍｇ）とし、該抽出物の示差走査熱量（ＤＳＣ）測定により得られる吸熱曲線における最大吸熱ピークの温度をＹ（℃）としたときに、下記式（１）〜（３）の関係を満たすことを特徴とするプロセスカートリッジ。
【手続補正９】
【補正対象書類名】明細書
【補正対象項目名】００３１
【補正方法】変更
【補正の内容】
【００３１】
【発明の実施の形態】
本発明は、静電潜像担持体上に担持された静電潜像を非磁性一成分トナーによって可視化して画像を形成する画像形成方法であって、非磁性一成分トナーを担持するトナー担持体に接触された帯電補助部材により、非磁性一成分トナーの帯電性を制御する帯電補助工程と、トナー担持体に担持された非磁性一成分トナーを静電潜像担持体の表面に接触させて転移させることにより、前記静電潜像を可視化してトナー像を静電潜像担持体上に形成する現像工程と、を少なくとも含み、ポリエステル化合物を主成分とする結着樹脂と、着色剤と、離型剤とを少なくとも含有し、且つ該非磁性一成分トナー２ｇをヘキサン溶媒に５分間浸漬させたときの抽出物の質量をＸ（ｍｇ）とし、該抽出物の示差走査熱量（ＤＳＣ）測定により得られる吸熱曲線における最大吸熱ピークをＹ（℃）としたときに、下記式（１）〜（３）の関係を満たす非磁性一成分トナーを用いることを特徴とするものである。
【手続補正１０】
【補正対象書類名】明細書
【補正対象項目名】００３８
【補正方法】変更
【補正の内容】
【００３８】
ここで、上記のような帯電補助部材を用いてトナーの帯電性を制御する画像形成方法に用いられる本発明の非磁性一成分トナーは、ポリエステル化合物を主成分とする結着樹脂と、着色剤と、離型剤とを少なくとも含有し、非磁性一成分トナー２ｇをヘキサン溶媒に５分間浸漬させたときの抽出物の質量をＸ（ｍｇ）とし、該抽出物の示差走査熱量（ＤＳＣ）測定により得られる吸熱曲線における最大吸熱ピークをＹ（℃）としたときに、下記式（１）〜（３）の関係を満たすことを特徴とする。
【手続補正１１】
【補正対象書類名】明細書
【補正対象項目名】００４７
【補正方法】変更
【補正の内容】
【００４７】
また、本発明のトナーは、上記抽出物の示差走査熱量（ＤＳＣ）測定により得られる吸熱曲線における最大吸熱ピークの温度をＹ（℃）としたとき、下記式（２）を満足する。
【手続補正１２】
【補正対象書類名】明細書
【補正対象項目名】０１６５
【補正方法】変更
【補正の内容】
【０１６５】
図３に示す画像形成装置を用い、高温高湿度条件下（温度３０℃、湿度８０％ＲＨ）においてＡ４サイズのＣＬＣ用紙（キヤノン製；８０ｇ／ｍ２）に画像濃度２％のハーフトー
ン画像を５０００枚プリントした。なお、一枚毎にプリント操作が終わってから次のプリント操作を開始するまでの時間は２分間とした。１枚目、４０００枚目、４５００枚目、５０００枚目の画像を用いて高温高湿度条件下におけるハーフトーン画像の濃度ムラ評価を行った。